(57)【要約】複数のＵＳＢポートを備えているＵＳＢハブ論理を備えている、ＵＳＢハブ集積回路デバイス。少なくとも１つのポートは、一対の双方向伝送チャネルを備え、少なくとも１つのポートに対して、２つの物理層が並列に提供され、各物理層は、１つの双方向伝送チャネルに関連付けられ、ＵＳＢハブ論理はさらに、論理条件に応じて、各ポートに対する該物理層のうちの１つを選択するように構成されている。一実施形態において、少なくとも１つのポートは、ＵＳＢ３準拠ポートである。
2017518564.tif 000002
【特許請求の範囲】
【請求項１】
ＵＳＢハブ集積回路デバイスであって、前記デバイスは、複数のＵＳＢポートを備えているＵＳＢハブ論理を備え、少なくとも１つのポートは、一対の双方向伝送チャネルを備え、前記少なくとも１つのポートに対して、２つの物理層が並列に提供されており、各物理層は、１つの双方向伝送チャネルに関連付けられており、前記ＵＳＢハブ論理は、論理条件に応じて、各ポートに対する前記物理層のうちの１つを選択するように構さらに成されている、ＵＳＢハブ集積回路デバイス。
【請求項２】
前記少なくとも１つのポートは、ＵＳＢ３準拠ポートである、請求項１に記載のＵＳＢハブ集積回路デバイス。
【請求項３】
前記論理条件は、前記少なくとも１つのポートによって提供される別の接続を通して決定される、請求項２に記載のＵＳＢハブ集積回路デバイス。
【請求項４】
前記少なくとも１つのポートは、ＵＳＢ２に準拠するさらなる伝送チャネルをさらに備えている、請求項３に記載のＵＳＢハブ集積回路デバイス。
【請求項５】
一対の双方向伝送チャネルを備えている別のポートをさらに備え、前記別のポートに対して、２つのさらなる物理層が並列に提供されており、各物理層は、前記別のポートの１つの双方向伝送チャネルに関連付けられており、前記少なくとも１つのポートは、ダウンストリームポートであり、前記別のポートは、アップストリームポートである、請求項１に記載のＵＳＢハブ集積回路デバイス。
【請求項６】
少なくとも１つのＵＳＢ２の旧来のポートをさらに備えている、請求項５に記載のＵＳＢハブ集積回路デバイス。
【請求項７】
各ポートのそれぞれの物理層の選択を制御するように構成されている内蔵コントローラをさらに備えている、請求項１に記載のＵＳＢハブ集積回路デバイス。
【請求項８】
前記少なくとも１つのポートに関連付けられているマルチプレクサをさらに備え、前記マルチプレクサは、前記第１または第２の物理層によって提供される信号のいずれかを選択するように構成されている、請求項１に記載のＵＳＢハブ集積回路デバイス。
【請求項９】
前記物理層は、各双方向チャネルに対して複数の伝送および受信デジタルラインを提供する、請求項８に記載のＵＳＢハブ集積回路デバイス。
【請求項１０】
前記複数の伝送および受信デジタルラインは、３２本の伝送ラインおよび３２本の受信ラインを備えている、請求項９に記載のＵＳＢハブ集積回路デバイス。
【請求項１１】
前記複数の伝送および受信デジタルラインは、１２５ＭＨｚのクロックレートで信号を伝送するように構成されている、請求項１０に記載のＵＳＢハブ集積回路デバイス。
【請求項１２】
請求項１に記載のＵＳＢハブ集積回路デバイスを備えているＵＳＢハブであって、前記ＵＳＢハブは、対称に配列された接続ピンを有する外部コネクタをさらに備え、それによって、前記外部コネクタの中に挿入される関連付けられたプラグの第１の双方向ラインは、前記プラグの挿入方向に応じて、前記コネクタの第１の双方向ラインまたは前記コネクタの第２の双方向ラインのいずれかと接続される、ＵＳＢハブ。
【請求項１３】
前記コネクタは、上側接続ピンの行および下側接続ピンの行を備え、前記上の行は、順に以下のＵＳＢ信号：Ｇｎｄ、ＴＸ１＋、ＴＸ１−、ＶＢＵＳ、ＣＣ１、Ｄ＋、Ｄ−、ＴＢＤ、ＶＢＵＳ、ＲＸ２−、ＲＸ２＋、Ｇｎｄを備え、前記下の行は、順に以下のＵＳＢ信号：Ｇｎｄ、ＲＸ１＋、ＲＸ１−、ＶＢＵＳ、ＴＢＤ、Ｄ−、Ｄ＋、ＣＣ２、ＶＢＵＳ、ＴＸ２−、ＴＸ２＋、Ｇｎｄを備え、ＴＢＤは、使用されないこともある接続を指す、請求項１２に記載のＵＳＢハブ。
【請求項１４】
前記２つのポートは、ＵＳＢ３準拠ポートである、請求項１２に記載のＵＳＢハブ。
【請求項１５】
前記論理条件は、各ポートのＣＣ１またはＣＣ２信号を通して決定される、請求項１３に記載のＵＳＢハブ。
【請求項１６】
少なくとも１つのＵＳＢ２の旧来のポートをさらに備えている、請求項１２に記載のＵＳＢハブ。
【請求項１７】
前記ＵＳＢハブ集積回路デバイスは、各ポートのそれぞれの物理層の選択を制御するように構成されている内蔵コントローラをさらに備えている、請求項１２に記載のＵＳＢハブ。
【請求項１８】
請求項１に記載のＵＳＢハブ集積回路デバイスを備えているＵＳＢハブを動作させる方法であって、前記ＵＳＢハブは、対称に配列された接続ピンを有する外部ＵＳＢ  Ｔｙｐｅ−Ｃコネクタをさらに備え、それによって、前記外部コネクタの中に挿入される関連付けられたプラグの第１の双方向ラインは、前記プラグの挿入方向に応じて、前記コネクタの第１の双方向ラインまたは前記コネクタの第２の双方向ラインのいずれかと接続され、前記方法は、
ＵＳＢ３  Ｔｙｐｅ−Ｃプラグを第１の構成において前記ＵＳＢ３  Ｔｙｐｅ−Ｃコネクタの中に差し込むことと、
前記ＵＳＢハブによって、前記ＵＳＢ３  Ｔｙｐｅ−Ｃコネクタのそれぞれの構成接点に結合される構成ラインをデコードすることと、
前記ＵＳＢ３  Ｔｙｐｅ−Ｃコネクタに関連付けられた前記物理層のうちの第１のものを選択することと
を含む、方法。
【請求項１９】
前記ＵＳＢ３  Ｔｙｐｅ−Ｃプラグが、前記第１の構成と逆さまの第２の構成において前記ＵＳＢ３  Ｔｙｐｅ−Ｃコネクタの中に差し込まれた場合、前記方法は、
前記ＵＳＢハブによって、前記ＵＳＢ３  Ｔｙｐｅ−Ｃコネクタの構成ラインをデコードすることと
前記ＵＳＢ３  Ｔｙｐｅ−Ｃコネクタに関連付けられた前記物理層の第２のものを選択することと
を含む、請求項１８に記載の方法。
【発明の詳細な説明】
【技術分野】
【０００１】
（関連出願の引用）
本願は、米国仮出願第６２／０００，１０３号（２０１４年５月１９日出願）の利益を主張し、上記出願は、その全体が本明細書に引用される。
【０００２】
（技術分野）
本開示は、ＵＳＢハブに関し、より具体的には、ＵＳＢ対称コネクタを伴うＵＳＢハブに関する。
【背景技術】
【０００３】
新しいＵＳＢ  Ｔｙｐｅ−Ｃコネクタは、より薄くかつより流線型の設計を可能にし、有用性を向上させ、将来のバージョンのＵＳＢのための性能向上のための成長経路を提供するのに役立つように開発されている。Ｔｙｐｅ−Ｃコネクタは、既存のＵＳＢ３．１およびＵＳＢ２．０技術を基にしている。
【発明の概要】
【課題を解決するための手段】
【０００４】
種々の実施形態によると、マルチポートＵＳＢ２および／またはＵＳＢ３ハブ集積回路デバイスが提供されることができ、デバイスは、両規格に対して適合性のある「Ｔｙｐｅ−Ｃ」コネクタを備えている。
【０００５】
ある実施形態によると、ＵＳＢハブ集積回路デバイスは、複数のＵＳＢポートを備えているＵＳＢハブ論理であって、少なくとも１つのポートは、一対の双方向伝送チャネルを備え、少なくとも１つのポートに対して、２つの物理層が並列に提供され、各物理層は、１つの双方向伝送チャネルに関連付けられ、ＵＳＢハブ論理はさらに、論理条件に応じて、各ポートに対する該物理層のうちの１つを選択するように構成されている、ＵＳＢハブ論理を備え得る。
【０００６】
さらなる実施形態によると、少なくとも１つのポートは、ＵＳＢ３準拠ポートであることができる。さらなる実施形態によると、論理条件は、少なくとも１つのポートによって提供される別の接続を通して決定されることができる。さらなる実施形態によると、少なくとも１つのポートは、ＵＳＢ２に準拠するさらなる伝送チャネルをさらに備え得る。さらなる実施形態によると、ＵＳＢハブ集積回路デバイスはさらに、一対の双方向伝送チャネルを備えている別のポートを備え得、別のポートに対して、２つのさらなる物理層が並列に提供され、各物理層は、別のポートの１つの双方向伝送チャネルに関連付けられ、少なくとも１つのポートは、ダウンストリームポートであり、別のポートは、アップストリームポートである。さらなる実施形態によると、ＵＳＢハブ集積回路デバイスはさらに、少なくとも１つのＵＳＢ２の旧来のポートを備え得る。さらなる実施形態によると、ＵＳＢハブ集積回路デバイスはさらに、各ポートのそれぞれの物理層の選択を制御するように構成されている内蔵コントローラを備え得る。さらなる実施形態によると、ＵＳＢハブ集積回路デバイスはさらに、少なくとも１つのポートに関連付けられ、第１または第２の物理層によって提供される信号のいずれかを選択するように構成されているマルチプレクサを備え得る。さらなる実施形態によると、物理層は、各双方向チャネルに対して複数の伝送および受信デジタルラインを提供し得る。さらなる実施形態によると、複数の伝送および受信デジタルラインは、３２本の伝送ラインおよび３２本の受信ラインを備え得る。さらなる実施形態によると、複数の伝送および受信デジタルラインは、１２５ＭＨｚのクロックレートで信号を伝送するように構成されることができる。
【０００７】
別の実施形態によると、ＵＳＢハブは、外部コネクタの中に挿入される関連付けられたプラグの第１の双方向ラインが、プラグの挿入方向に応じて、コネクタの第１の双方向ラインまたはコネクタの第２の双方向ラインのいずれかと接続されるように対称に配列された接続ピンを有する外部コネクタをさらに備えている前述のようなＵＳＢハブ集積回路デバイスを備え得る。ＵＳＢハブのさらなる実施形態によると、コネクタは、上側接続ピンの行および下側接続ピンの行を備え得、上の行は、順に以下のＵＳＢ信号：Ｇｎｄ、ＴＸ１＋、ＴＸ１−、ＶＢＵＳ、ＣＣ１、Ｄ＋、Ｄ−、ＴＢＤ、ＶＢＵＳ、ＲＸ２−、ＲＸ２＋、Ｇｎｄを備え得、下の行は、順に以下のＵＳＢ信号：Ｇｎｄ、ＲＸ１＋、ＲＸ１−、ＶＢＵＳ、ＴＢＤ、Ｄ−、Ｄ＋、ＣＣ２、ＶＢＵＳ、ＴＸ２−、ＴＸ２＋、Ｇｎｄを備え得、ＴＢＤは、使用されないこともある接続を指す。ＵＳＢハブのさらなる実施形態によると、２つのポートは、ＵＳＢ３準拠ポートである。ＵＳＢハブのさらなる実施形態によると、論理条件は、各ポートのＣＣ１またはＣＣ２信号を通して決定されることができる。ＵＳＢハブのさらなる実施形態によると、ＵＳＢハブはさらに、少なくとも１つのＵＳＢ２の旧来のポートを備え得る。ＵＳＢハブのさらなる実施形態によると、ＵＳＢハブ集積回路デバイスはさらに、各ポートのそれぞれの物理層の選択を制御するように構成されている内蔵コントローラを備え得る。
【０００８】
さらに別の実施形態によると、外部コネクタの中に挿入される関連付けられたプラグの第１の双方向ラインが、プラグの挿入方向に応じて、コネクタの第１の双方向ラインまたはコネクタの第２の双方向ラインのいずれかと接続されるように対称に配列された接続ピンを有する外部ＵＳＢ  Ｔｙｐｅ−Ｃコネクタをさらに備えている、前述のようなＵＳＢハブ集積回路デバイスを備えている、ＵＳＢハブを動作させる方法であって、方法は、ＵＳＢ３  Ｔｙｐｅ−Ｃプラグを第１の構成においてＵＳＢ３  Ｔｙｐｅ−Ｃコネクタの中に差し込むステップと、ＵＳＢハブによってＵＳＢ３  Ｔｙｐｅ−Ｃコネクタのそれぞれの構成接点に結合される構成ラインをデコードするステップと、ＵＳＢ３  Ｔｙｐｅ−Ｃコネクタに関連付けられた物理層のうちの第１のものを選択するステップとを含み得る。
【０００９】
方法のさらなる実施形態によると、該ＵＳＢ３  Ｔｙｐｅ−Ｃプラグが第１の構成と逆さまの第２の構成においてＵＳＢ３  Ｔｙｐｅ−Ｃコネクタの中に差し込まれると、方法は、ＵＳＢハブによってＵＳＢ３  Ｔｙｐｅ−Ｃコネクタの構成ラインをデコードするステップと、ＵＳＢ３  Ｔｙｐｅ−Ｃコネクタに関連付けられた物理層の第２のものを選択するステップとを含み得る。
【図面の簡単な説明】
【００１０】
【図１】図１は、ＵＳＢ３  Ｔｙｐｅ−Ｃオス型プラグを示す。
【図２】図２は、ＵＳＢ３  Ｔｙｐｅ−Ｃメス型コネクタを示す。
【図３Ａ】図３Ａ、Ｂ、Ｃは、Ｔｙｐｅ−Ｃコネクタのピンレイアウトおよび接続されたプラグとの関連付けを示す。
【図３Ｂ】図３Ａ、Ｂ、Ｃは、Ｔｙｐｅ−Ｃコネクタのピンレイアウトおよび接続されたプラグとの関連付けを示す。
【図３Ｃ】図３Ａ、Ｂ、Ｃは、Ｔｙｐｅ−Ｃコネクタのピンレイアウトおよび接続されたプラグとの関連付けを示す。
【図４】図４は、ＵＳＢハブおよび接続されたＵＳＢ３デバイスを伴う、回路図を示す。
【図５Ａ】図５Ａは、Ｔｙｐｅ−Ｃコネクタを伴う、ＵＳＢハブのブロック図を示す。
【図５Ｂ】図５Ｂは、図５の外部スイッチをより詳細に示す。
【図５Ｃ】図５Ｃは、図５に示される回路内で使用され得る、リドライバを示す。
【図６】図６は、種々の実施形態による、集積回路ハブデバイスの実施形態を示す。
【図７】図７は、図８による実施形態のより詳細なブロック図を示す。
【図８】図８は、集積回路ハブデバイスの別の実施形態を示す。
【発明を実施するための形態】
【００１１】
ＵＳＢ３  Ｔｙｐｅ−Ｃコネクタは、可逆性であり、機能するために外部ＵＳＢ３スイッチを要求しない。そのような外部接続は、プラグが、任意の方向に挿入されること、例えば、正しい上下の向きまたは逆さまに挿入されることを可能にする利便性を提供するので、ＵＳＢ３ハブでは好ましい。種々の実施形態によると、外部切り替え回路は、必要なく、全スイッチ機能は、内部で取り扱われる。Ｔｙｐｅ−Ｃコネクタは、ＵＳＢホストおよびＵＳＢデバイスの両方のために使用されることができる。
【００１２】
ある実施形態によると、ＵＳＢハブ集積回路デバイスは、従来の集積ＵＳＢハブデバイスと比較して、非常に少ないピン数を有し得る。前述の機能性は、ピンの数を増加させずに、追加されることができる。
【００１３】
図１および２は、それぞれ、ＵＳＢ  Ｔｙｐｅ−Ｃオス型プラグと関連付けられたメス型コネクタとを示す。このタイプのコネクタは、その設計において対称であり、したがって、ある所定の方向に挿入されることを要求しない。むしろ、ユーザの利便性のために、正しい上下の向きまたは逆さまに挿入され得る。そのようなコネクタは、所定の数のピン、例えば、ＵＳＢ３．１規格において定義されるような２４本のピンを有し得る。
【００１４】
図３Ａは、例示的レイアウト設計を示す。図３Ｂは、正しい上下の向きに挿入されたときのメス型コネクタとオス型プラグとのピンの関連付けを示す。図３Ｃは、逆さまに挿入されたときのメス型コネクタとオス型プラグとのピンの関連付けを示す。図３Ｂおよび３Ｃから分かるように、対称設計は、コネクタがどの方向に差し込まれるかにかかわらず、殆どのラインに対して１対１の接続を提供する。これは、特に、４つの旧来のＵＳＢ１／２ライン：Ｇｎｄ、ＶＢＵＳ、Ｄ＋、およびＤ−に当てはまる。しかしながら、追加のＵＳＢ３双方向伝送ライン対ＴＸ１、ＲＸ１およびＴＸ２、ＲＸ２ラインは、コネクタが「正しい」方向、すなわち、正しい上下の向きに差し込まれるときにのみ正しく接続されるであろう。しかしながら、コネクタが逆さまに差し込まれると、チャネルは、ＴＸ１がＲＸ２に接続し、ＴＸ２がＲＸ１に接続するように切り替えられるであろう。分かりやすくするために、図３は、標準的ＵＳＢ接続および双方向チャネル１のための接続のみを示す。チャネル２のための接続、すなわち、ＲＸ＋、ＲＸ２−およびＴＸ２＋、ＴＸ２−は、分かりやすくするために示されない。
【００１５】
したがって、この「不整合」は、ハブデバイス内で解決されなければならない。この目的を達成するために、追加の制御ラインＣＣ１、ＣＣ２が、図３Ａ−Ｃに示されるように使用される。これらのラインは、例えば、図４に示されるように、それぞれのスイッチを制御するために使用されることができる。これらの制御ラインＣＣ１、ＣＣ２および関連付けられた論理を通して、ハブ内の切り替えデバイスは、それぞれのチャネルの正しい接続を提供するように制御される。
【００１６】
図４は、ＵＳＢハブまたはホスト４１０とＵＳＢデバイス４２０とを伴う配列４００を示す。左側では、ＵＳＢデバイス４２０は、オス型プラグ４２５と内部コントローラ４２７との間に配列され、追加のＵＳＢ３伝送チャネルの適切な接続を可能にする切り替え回路４３０を備えている。論理ユニット４４０が提供され、論理ユニット４４０は、ＣＣライン上の接続のステータスを分析し、切り替え回路４３０を制御する。ＵＳＢハブまたはホスト４１０も、切り替え回路５５０を伴う類似した回路を提供し、切り替え回路５５０は、メス型コネクタ４１５とハブ４１７との間に配列され、関連付けられた切り替えデバイス５５０は、論理ユニット４６０によって制御され得る。図４に示されるように、２つのＣＣラインは、４つの可能なケーブル状態を提供する。切り替えは、制御ラインＣＣ１およびＣＣ２を通る制御信号に応じて、ハブ４１０またはデバイス４２０のいずれかにおいて行われることができる。
【００１７】
図５Ａは、主要ＵＳＢハブ機能性を提供する中央集積回路デバイス５１０を伴う、別のブロック図を示す。図５Ａは、２つのＴｙｐｅ−Ｃコネクタ５３０ａおよび５３０ｂが提供され得ることを示す。したがって、２つの外部２／１切り替え／マルチプレクサ５２０ａ、ｂが、Ｔｙｐｅ−Ｃコネクタを使用するときの正しい接続を確実にするために提供される。例示的切り替えデバイス５２０ａ、ｂが、図５Ｂにより詳細に示される。随意に、図５Ｃに示されるようないわゆるリドライバ５４０が、信号完全性を確実にするために必要とされ得る。図５Ｂは、第１の双方向または第２の双方向チャネルのいずれかを選択するために使用される、典型的切り替えデバイス５２０ａ、ｂを示す。これらの切り替えデバイスは、正しい接続を提供するために複数のそれぞれのＭＯＳ切り替えトランジスタ、ドライバ、および切り替え論理を備えている集積回路デバイスである。大量に取得されても、これらのデバイスは、生産コストを有意に増加させる。
【００１８】
さらに、そのような切り替えデバイス５２０ａ、ｂは、双方向ライン対を経由して伝送される高周波数信号に好適ではない場合さえある。したがって、いわゆるリドライバ５４０が、図５Ｃに示されるように、加えて、または代わりに、使用され得る。これらのデバイスは、高帯域幅を取り扱い、調節可能受信機均等化およびそれぞれの制御論理を提供することを可能にし得る。しかしながら、そのようなデバイスは、従来のマルチプレクサスイッチよりさらに高価である。
【００１９】
種々の実施形態によると、例えば、図６に示されるように、ＵＳＢハブ集積回路デバイス６１０が、提供されることができ、集積回路デバイス６１０は、この集積回路デバイス６１０のデジタルドメイン内における切り替えを提供する。したがって、外部スイッチまたはリドライバは、コネクタ６５０、６６０とＵＳＢ３ハブ６００の集積回路デバイス６１０との間で必要とされない。図６に示されるのは、２つのＴｙｐｅ−Ｃコネクタ６５０および６６０を用いた「Ｃタイプ」コネクタの相互接続性を可能にする、ＵＳＢ３ハブ集積回路デバイス６１０である。この方式は、旧来の「Ａ」および「Ｂ」コネクタをサポートする能力を保持している。マルチプレクサは、「Ｃ」ポートが要求されない場合、回避されることができる。
【００２０】
図６は、ハブ６１０が内部ハブコントローラ論理６２０に対して同一数のＵＳＢ接続を内部に備えていることを示す。しかしながら、２つの物理層６３０ａ、ｂが、ＵＳＢリンクのうちのいずれかのために提供され得る。図６の実施例では、１つのアップストリームＵＳＢ３ポートと１つのダウンストリームＵＳＢ３ポートとが、この構成を用いて提供される。ハブはさらに、外部汎用ピンおよびシリアルインターフェースを提供する内蔵コントローラ６４０を備え得、内蔵コントローラ６４０は、ハブコントローラ論理６２０を制御するように構成されている。図６は、前述のように、１つのダウンポートおよびアップストリームポートのＴｙｐｅ−Ｃコネクタのための二重物理層配列のみを示す。しかしながら、他のダウンストリームポートまたは他のダウンストリームポートのうちのいくつかは、類似した二重物理層配列を有し得る。実装されると、物理層は、関連付けられたポート制御ユニット６７０（１つのみ図６に示される）によって制御され得る。
【００２１】
図７は、種々の実施形態による、ＵＳＢハブデバイス６１０のより詳細なブロック図を示す。例えば、図７に示されるように、切り替えは、統合されたハブデバイス７０５の内側でアナログからデジタルドメイン７５０に移動させられている。５Ｇｈｚ  ＵＳＢ３信号における切り替えの代わりに、ＰＩＰＥインターフェースが、第１の双方向チャネルと第２の双方向チャネルとをクロススイッチするように構成されているマルチプレクサ７１０を用いて物理層６３０ａ、ｂ後に多重化される。デジタル多重化は、したがって、より低い周波数、例えば、３２ビットに対して１２５Ｍｈｚで行われることができる。物理層６３０ａ、ｂのみ、２回実装されることが要求される。
【００２２】
図７は、ＵＳＢハブコア６２０と、マルチプレクサ７１０と、物理層６３０ａ、ｂとを集積回路デバイス内に備えている、集積回路デバイス７０５を示す。ハブコア６２０は、例えば、右側に３つのＵＳＢ３ダウンストリームポートと、左側に１つのＵＳＢ３アップストリームポートとを備えている。延長された伝送チャネルのみ、図７に示される。加えて、ハブコア６２０はまた、前述のような多重化を要求しない標準的ＵＳＢ２適合接続ライン（図示せず）を提供する。
【００２３】
ハブコア６２０の各ＵＳＢ３ポートの延長された伝送ラインは、マルチプレクサ７１０のハブコア側のそれぞれの出力／入力と接続される。マルチプレクサ７１０は、クロススイッチとして作用し、例えば、チャネルあたり３２本のラインを切り替える能力を備え得る。各チャネルは、各チャネルに対して別個のＴＸおよびＲＸラインを備えている。マルチプレクサ７１０の他側では、第１のチャネルは、第１の物理層６３０ａに、第２のチャネルは、第２の物理層６３０ｂに結合される。第１および第２の物理層６３０ａ、ｂの外部ポートは、次いで、図４に示されるような標準的ＵＳＢ１／２ラインに加え、単一Ｔｙｐｅ−Ｃコネクタ６５０、６６０に接続されることができる。
【００２４】
示されるように、そのような集積回路デバイス７０５は、追加の物理層６３０ａ、ｂおよび関連付けられたマルチプレクサ７１０が、正しい双方向チャネルをコネクタ６５０、６６０からコア６２０に関連付けることが可能であることを要求する。マルチプレクサ７１０は、基本的に、図４に示されるように、プラグのそれぞれのＣＣ１接続をメス型コネクタのＣＣ１接続と接続すること、またはプラグのＣＣ１接続をメス型コネクタのＣＣ２接続と接続することのいずれかによって、オス型プラグがメス型コネクタ６５０、６６０の中に挿入された方向を示すＣＣ１およびＣＣ２信号に従って制御され得る。
【００２５】
ある実施形態によると、ＣＣ接続をデコードする論理は、物理層のうちの１つのみイネーブルにし、それは、必要に応じて、電力消費を節約し得る。ＵＳＢ１／２旧来のモードに対して、物理層６３０ａ、ｂおよび関連付けられたマルチプレクサ７１０は、完全に停止させられ得る。いくつかの実施形態によると、ＣＣ接続をデコードする論理は、内蔵コントローラ６４０によって実装され得る。他の実施形態によると、別個の論理が、ＣＣ接続をデコードするために実装され得る。しかしながら、物理層６３０ａ、ｂは両方とも、常時、活動状態であり得、マルチプレクサ７１０は、単に、正しい双方向チャネルを互いに関連付ける／リンクするように制御され得る。さらに、本開示による任意の実施形態は、外部スイッチ／マルチプレクサが必要ないという事実に起因して、電力を殆ど使用しない配列を提供し得る。したがって、正しい双方向伝送チャネルは、ユーザがＵＳＢ  Ｔｙｐｅ−ＣプラグをそれぞれのＴｙｐｅ−Ｃハブコネクタの中にどのように挿入するかにかかわらず、内部で互いに接続される。
【００２６】
他の実施形態によると、他の切り替え手段が、類似した機能を提供するために集積回路デバイス内に実装され得る。
【００２７】
図８は、１つのアップストリームＴｙｐｅ−Ｃポート８１０と、２つのダウンストリームＴｙｐｅ−Ｃポート８２０、８３０と、２つの旧来のＵＳＢ１／２ダウンストリームポート８４０、８５０とを備えている、ＵＳＢ３ハブデバイス８００の実施例を示す。図８は、内部マルチプレクサを示さず、アップストリームポートのための内蔵コントローラによって制御される切り替え論理のみを示す。さらに、Ｔｙｐｅ−Ｃコネクタ８１０−８３０のための標準的ＵＳＢ１／２ポートは、再び、分かりやすくするために、図８に示されない。
【００２８】
追加のシリコン占有面積は、有意ではなく、したがって、そのような実装のためのコストは、外部スイッチおよび／またはリドライバのものを有意に下回る。したがって、システムレベルの節約は、種々の実施形態による集積回路デバイスを使用する場合、高くなる。
【図１】
2017518564.tif 000003
【図２】
2017518564.tif 000004
【図３Ａ】
2017518564.tif 000005
【図３Ｂ】
2017518564.tif 000006
【図３Ｃ】
2017518564.tif 000007
【図４】
2017518564.tif 000008
【図５Ａ】
2017518564.tif 000009
【図５Ｂ】
2017518564.tif 000010
【図５Ｃ】
2017518564.tif 000011
【図６】
2017518564.tif 000012
【図７】
2017518564.tif 000013
【図８】
2017518564.tif 000014
【国際調査報告】
2017518564.tif 000015
2017518564.tif 000016